(57)【特許請求の範囲】
【請求項１】
家具本体に固定されるヒンジ本体と、このヒンジ本体の一端部にリンクアームを介して回動自在に設けられ前記家具本体の扉体に固定される回動体と、前記ヒンジ本体を前記家具本体に固定する固定装置とを具備し、
前記固定装置は、
前記ヒンジ本体を固定する固定部を有するベース体と、
このベース体に設けられ前記家具本体に形成された取付孔に挿入するガイド部材と、
前記ベース体に前記ガイド部材に沿って設けられ前記ガイド部材により拡開方向に押動される被押動部及びこの被押動部の押動により前記取付孔の内壁部に圧着される圧着部をそれぞれ有するロック部材と、
前記ベース体に設けられ前記取付孔に前記ガイド部材及び前記ロック部材を挿入した状態で前記ガイド部材により前記ロック部材の被押動部を押動させるように前記ガイド部材と前記ロック部材とのいずれか一方を後退動作させる操作レバーとを有し、
前記ロック部材は、前記ガイド部材の両側面に一対設けられ、この一対のロック部材の被押動部を前記ガイド部材の押動部により押動されない状態で拡径可能な弾性リングにて仮止めされている
ことを特徴とするヒンジ。
【請求項２】
ロック部材の被押動部は、ガイド部材に形成された押動部に係合する案内面を有しこのガイド部材に向かって突出した係合突起にて形成され、ロック部材の圧着部は、このロック部材の後退方向で取付孔に向かって拡開傾斜して突出した圧着突片にて形成されている
ことを特徴とする請求項１記載のヒンジ。
【請求項３】
ロック部材は、ガイド部材を挟む状態でこのガイド部材の両側面に沿ってそれぞれ進退自在に設けられている
ことを特徴とする請求項１または２記載のヒンジ。
【請求項４】
ガイド部材及びこのガイド部材に沿って設けられたロック部材は、ベース体の両側部にそれぞれ設けられ、家具本体に離間して形成された取付孔にそれぞれ挿入する
ことを特徴とする請求項１乃至３のいずれか記載のヒンジ。
【発明の詳細な説明】
【０００１】
【発明の属する技術分野】
本発明はヒンジに係り、家具本体に扉体を開閉自在に取り付けるヒンジ本体を前記家具本体に固定するものに関する。
【０００２】
【従来の技術】
従来、この種のヒンジとしては、たとえば、実公平６−１９００８号公報に記載されているように、家具本体に固定されるヒンジ本体と、このヒンジ本体の一端部にリンクアームを介して回動自在に設けられ前記家具本体の扉体に固定される回動体と、前記ヒンジ本体を前記家具本体に固定する固定装置とを具備し、前記固定装置は、前記ヒンジ本体を固定する固定部を有するとともに複数のねじ挿通孔を有するベース体と、このベース体の複数のねじ挿通孔から前記家具本体に挿入してこのベース体を前記家具本体に固定するタッピングねじ等の複数の固定ねじと、を有して構成されている。
【０００３】
【発明が解決しようとする課題】
前記公報に記載のヒンジ本体の固定装置では、ベース体を複数の固定ねじにて家具本体に固定するため、このベース体の固定時にはベース体を家具本体の固定位置に押さえ付ける操作及びこのベース体を押さえ付けた状態で固定ねじを回動操作する工具を使用して複数の固定ねじをそれぞれねじ込む固定ねじのねじ込み操作を必要とし、ベース体の固定に手数を要し、現場で簡単にベース体を家具本体に固定できるヒンジ本体の固定装置の開発が要望されている。
【０００４】
本発明は、このような課題に鑑みてなされたもので、現場で工具を使用することなく簡単にベース体を家具本体に固定できる固定装置を備えたヒンジを提供することを目的とするものである。
【０００５】
【課題を解決するための手段】
請求項１記載のヒンジは、家具本体に固定されるヒンジ本体と、このヒンジ本体の一端部にリンクアームを介して回動自在に設けられ前記家具本体の扉体に固定される回動体と、前記ヒンジ本体を前記家具本体に固定する固定装置とを具備し、前記固定装置は、前記ヒンジ本体を固定する固定部を有するベース体と、このベース体に設けられ前記家具本体に形成された取付孔に挿入するガイド部材と、前記ベース体に前記ガイド部材に沿って設けられ前記ガイド部材により拡開方向に押動される被押動部及びこの被押動部の押動により前記取付孔の内壁部に圧着される圧着部をそれぞれ有するロック部材と、前記ベース体に設けられ前記取付孔に前記ガイド部材及び前記ロック部材を挿入した状態で前記ガイド部材により前記ロック部材の被押動部を押動させるように前記ガイド部材と前記ロック部材とのいずれか一方を後退動作させる操作レバーとを有し、前記ロック部材は、前記ガイド部材の両側面に一対設けられ、この一対のロック部材の被押動部を前記ガイド部材の押動部により押動されない状態で拡径可能な弾性リングにて仮止めされているものである。
【０００６】
そして、家具本体に形成された取付孔にベース体に設けられたガイド部材及びロック部材を挿入する際は、ベース体を把持してガイド部材及びロック部材を家具本体に形成された取付孔内に押し込むことにより、このガイド部材及びロック部材が取付孔内に挿入されるが、このとき、ロック部材の被押動部がガイド部材により押動されていない状態で挿入されるので、ロック部材の圧着部が取付孔内に奥深く簡単に挿入されるとともに、このベース体の裏面部が取付孔の開口縁部に当接される。
【０００７】
また、取付孔内にガイド部材及びロック部材を挿入した状態で操作レバーを操作することにより、この操作レバーにて、たとえば、ロック部材がガイド部材に沿って後退動作され、このガイド部材によりロック部材の被押動部が拡開方向に向かって押動されるとともに、このロック部材の圧着部が拡開方向に向かって押動され、このロック部材の圧着部が取付孔の内壁部に圧着されて確実に抜止めされる。
【０００８】
したがって、現場で工具を使用することなく操作レバーを操作することにより、家具本体に形成された取付孔内にガイド部材及びロック部材が奥深く簡単に挿入されるとともに、このガイド部材及びロック部材にて取付孔の開口縁部にベース体を当接した状態でこのベース体が簡単にかつ確実に固定される。
【０００９】
さらに、弾性リングにて一対のロック部材がガイド部材の両側面に沿って絞り込まれた状態に仮止めされていることにより、この一対のロック部材及びガイド部材が取付孔内に奥深くスムーズに挿入されるとともに、このベース体の裏面部が取付孔の開口縁部に当接される。
【００１０】
請求項２記載のヒンジは、請求項１記載のヒンジにおいて、ロック部材の被押動部は、ガイド部材に形成された押動部に係合する案内面を有しこのガイド部材に向かって突出した係合突起にて形成され、ロック部材の圧着部は、このロック部材の後退方向で取付孔に向かって拡開傾斜して突出した圧着突片にて形成されているものである。
【００１１】
そして、取付孔内にガイド部材及びロック部材を挿入した状態で操作レバーを操作することにより、この操作レバーにて、たとえば、ロック部材がガイド部材に沿って後退され、このロック部材の係合突起がガイド部材の押動部に係合されるが、このとき、係合突起は案内面を有することにより、この案内面により係合突起がガイド部材の押動部にスムーズに係合される。
【００１２】
また、このガイド部材の押動部にてロック部材の係合突起が拡開方向に向かって押動されるとともに、このロック部材の圧着部が拡開方向に向かって押動され、このロック部材の圧着突片が取付孔の内壁部に圧着されて更に確実に抜止めされる。
【００１３】
請求項３記載のヒンジは、請求項１または２記載のヒンジにおいて、ロック部材は、ガイド部材を挟む状態でこのガイド部材の両側面に沿ってそれぞれ進退自在に設けられているものである。
【００１４】
そして、取付孔内にガイド部材及びロック部材を挿入した状態で操作レバーを操作することにより、この操作レバーにてロック部材がガイド部材の両側面に沿ってそれぞれ後退され、このロック部材の係合突起がガイド部材の押動部にそれぞれ係合されるが、このとき、ガイド部材の両側面に設けたロック部材の係合突起は案内面をそれぞれ有することにより、この案内面により両係合突起がガイド部材の押動部にスムーズに係合される。
【００１５】
また、このガイド部材の押動部にて両ロック部材の係合突起がそれぞれ拡開方向に向かって押動されるとともに、このロック部材の圧着部が拡開方向に向かって押動され、このロック部材の圧着突片が取付孔の内壁部に圧着されて更に確実に抜止めされる。
【００１６】
請求項４記載のヒンジは、請求項１乃至３のいずれか記載のヒンジにおいて、ガイド部材及びこのガイド部材に沿って設けられたロック部材は、ベース体の両側部にそれぞれ設けられ、家具本体に離間して形成された取付孔にそれぞれ挿入するものである。
【００１７】
そして、ベース体の両側部のガイド部材及びロック部材を一組とする二組を家具本体に離間して形成された取付孔にそれぞれ挿入して固定することにより、ベース体が家具本体から確実に抜止めされるのみならず、ベース体が家具本体に対して確実に回り止めされる。
【００１８】
【発明の実施の形態】
以下、本発明の一実施の形態を図面を参照して説明する。
【００１９】
１は家具本体Ａに固定される左右方向のヒンジ本体で、このヒンジ本体１の一端部には重ね合わせた第１のリンクアーム２及び第２のリンクアーム３の基端部がそれぞれの支軸４，５にて回動自在に軸着され、この第１のリンクアーム２及び第２のリンクアーム３の先端部に前記家具本体Ａの扉体Ｂに固定される回動体６が図示しないそれぞれの支軸にて回動自在に軸着されている。前記家具本体Ａ及び扉体Ｂは説明の便宜上横倒しの状態で図示している。
【００２０】
また、前記ヒンジ本体１は、このヒンジ本体１の一端側の下部に後述するベース体の一方側の固定部に嵌合して固定される係合ピン７を有するとともに、このヒンジ本体１の他端側の下部に後述するベース体の他方側の固定部に嵌合して固定される係合ピン８を有し、前記係合ピン７，８は、図示しない附勢手段にてベース体の固定部に嵌合する嵌合方向に向かって常時附勢されている。
【００２１】
つぎに、９は前記ヒンジ本体１を前記家具本体Ａに固定する固定装置で、この固定装置９に前記ヒンジ本体１が装着されて固定されるようになっている。
【００２２】
前記固定装置９は、前記家具本体Ａの当接面ａに当接するベース体10を有している。このベース体10は前記家具本体Ａの当接面ａに当接して固定される固定ベース11と、この固定ベース11に上下方向に移動可能に嵌合されかつ前記ヒンジ本体１が装着固定される移動ベース12とを有して構成されている。しかして、移動ベース12の上下方向に移動可能とは前記家具本体Ａに取り付けた状態での上下方向をいう。以下、上下方向及び左右方向とは前記家具本体Ａに取り付けた状態での方向をいう。
【００２３】
前記固定ベース11は、上下部に取付板部13をそれぞれ有して平面視略矩形状に形成された本体板11aを有し、この本体板11aの中心部に前記移動ベース12を上下方向に移動可能に嵌合する平面視略矩形状の嵌合孔14が貫通して形成されている。また、前記上下部の取付板部13の下面に位置して前記嵌合孔14の開口縁部に上下方向の係合凹部15がそれぞれ形成されているとともに、この嵌合孔14の開口縁部の下面左右部に上下方向の係合凹部16がそれぞれ形成されている。そして、この本体板11aの周縁部が前記家具本体Ａの当接面ａに当接する係合面17として形成されている。
【００２４】
また、前記上下部の取付板部13は、所定の間隔をおいて上下に離間して貫通形成された上下一対の挿通孔18と、この上下一対の挿通孔18の間に位置して前記上下部の取付板部13にそれぞれこの取付板部13に交差する方向に向かって一体に突設され前記家具本体Ａの当接面ａに形成された上下の取付孔19に挿入するガイド部材としてのガイドプレート20と、前記上下の挿通孔18の近傍に位置してこの上下部の取付板部13の表面部に一体に突設された嵌合凹部21を形成した嵌合突部22と、を有して形成されている。
【００２５】
また、前記ガイドプレート20は矩形板状にそれぞれ形成され、この先端両面部に押動部20aがそれぞれ形成され、このガイドプレート20の両側面に沿った上方に位置して前記取付板部13に前記一対の挿通孔18がそれぞれ開口して形成されている。また、前記家具本体Ａの当接面ａに形成された上下の取付孔19は丸孔にて形成されている。さらに、前記上部の取付板部13には前記係合凹部15に開口した上下方向に長い調節孔23が形成されている。
【００２６】
前記移動ベース12は、前記固定ベース11の嵌合孔14に下面から嵌合されて固定ベース11上に突出する左右方向の本体突部24を有し、この本体突部24の一端部に前記ヒンジ本体１の他端部の係合ピン８を嵌合して固定する嵌合凹部25を有する固定部26が本体突部24上に一体に突設され、この本体突部24の他端部に前記ヒンジ本体１の一端部の係合ピン７を嵌合して固定する嵌合段部27を有する固定部28が本体突部24上に他方に向かって一体に突設されている。
【００２７】
また、前記本体突部24の上下部に前記固定ベース11の上下の係合凹部15に下面から上下動自在に係合される上下方向の係合板部29がそれぞれ一体に形成され、この上部の係合板部29に前記固定ベース11の上部の取付板部13に形成された調節孔23に連通するねじ孔30が形成され、このねじ孔30には前記調節孔23から挿通された調整ねじＣが螺着されるようになっている。
【００２８】
また、前記上下の係合板部29から離間して前記本体突部24の一端側に位置して本体突部24の上下部に前記固定ベース11の上下に形成された係合凹部31に下面から上下動自在に係合される上下方向の係合突部32がそれぞれ一体に形成されている。
【００２９】
さらに、前記本体突部24の左右方向の両端下部に前記固定ベース11の嵌合孔14の左右の係合凹部16に下面から上下動自在に係合される左右方向の係合突起33がそれぞれ一体に突設されている。また、本体突部24は下面を開口した中空体34にて形成され、この中空体34の開口縁部に一体に形成された前記上下の係合板部29、上下の係合突部32及び左右の係合突起33を含む移動ベース12の下面が前記固定ベース11の係合面17と同一平面の前記家具本体Ａの取付孔19の開口縁部に当接する係合面35として形成されている。
【００３０】
そして、前記固定ベース11に前記移動ベース12を組み付けるときは、固定ベース11の嵌合孔14に移動ベース12の本体突部24を嵌合し、この固定ベース11の上下の取付板部13の係合凹部15に移動ベース12の上下の係合板部29を係合するとともに、この固定ベース11の上下の係合凹部31に移動ベース12の上下の係合突部32を係合し、かつ、この固定ベース11の左右の係合凹部16に移動ベース12の左右の係合突起33を係合し、さらに、固定ベース11の上部の取付板部13の調節孔23から移動ベース12の上部の係合板部29のねじ孔30に調整ねじＣを螺着して締め付けることにより、固定ベース11に移動ベース12が組み付けられるようになっている。
【００３１】
また、固定ベース11に移動ベース12が組み付けられることにより、固定ベース11の係合面17と移動ベース12の係合面35とは同一平面に形成され、この係合面17，35が前記家具本体Ａの取付孔19の開口縁部に当接されるようになっている。そして、前記固定ベース11の上下のガイドプレート20は前記係合面17からこの係合面17に交差する方向の前方に向かって一体に突設されている。
【００３２】
つぎに、36は前記固定ベース11の上下の取付板部13に前記ガイドプレート20の両側面に沿ってそれぞれ進退自在に設けられた上下のガイドプレート20毎の一対のロック部材としてのロックプレートで、この一対のロックプレート36は、前記上下の取付板部13の一対の挿通孔18内にそれぞれ進退自在に挿通可能な幅にて細長板状に形成され、その後端部に互いに連通する軸挿通孔37がそれぞれ形成され、その先端部には前記ガイドプレート20の両押動部20aにより拡開方向に向かって押動される被押動部38及びこの被押動部38と反対側の外側に前記家具本体Ａの取付孔19の内壁部39に圧着する圧着部40がそれぞれ形成されている。
【００３３】
前記被押動部38は、前記ガイドプレート20の先端部に係合するガイドプレート20の先端部に向かって傾斜した案内面41を有しかつこのガイドプレート20に向かって突出した係合突起42にてそれぞれ形成されている。また、前記圧着部40は、このロックプレート36の先端部からこのロックプレート36の後退方向で前記取付孔19の内壁部39に向かって拡開傾斜して突出された圧着突片43にてそれぞれ形成されている。そして、前記圧着突片43と前記ロックプレート36の先端部との間には断面略Ｖ字形状の嵌合凹部44がそれぞれ形成されている。
【００３４】
また、前記一対のロックプレート36は、前記ガイドプレート20を挟む状態でこのガイドプレート20の両側面に沿って前記上下の取付板部13の一対の挿通孔18内にそれぞれ進退自在に挿通され、この一対のロックプレート36の軸挿通孔37がそれぞれ前記上下の取付板部13上に突出され、この上下の取付板部13上に位置して前記一対のロックプレート36の軸挿通孔37に１本の支軸45がそれぞれ挿通されている。
【００３５】
また、前記上下の取付板部13上に位置した前記上下の支軸45に前記一対のロックプレート36を進退動させる上下の操作レバー46がそれぞれ回動自在に軸支されている。
【００３６】
前記上下の操作レバー46は、所定の厚みを有して矩形板状にそれぞれ形成され、その一端部が摘み部47としてそれぞれ形成され、その他端部に前記上下の取付板部13上に係合する係合板48がそれぞれ形成され、この係合板48にこの係合板48の厚み方向の一方側に偏位して前記支軸45を挿通した軸挿通孔49がそれぞれ形成されている。また、この係合板48にこの係合板48の外面に開口して前記一対のロックプレート36をそれぞれ挿通した挿通溝50が形成されている。
【００３７】
前記係合板48は、前記挿通溝50を形成した外面を前記取付板部13上に係合する係合面51としてそれぞれ形成され、その厚み方向の他方側に形成された内端部を前記取付板部13上に係合する係合突部52としてそれぞれ形成され、この係合突部52の先端部と前記係合面51との間には操作レバー46の回動時に前記取付板部13に係合される円弧状のカム面53がそれぞれ形成されている。
【００３８】
そして、このカム面53は前記支軸45の中心部と前記係合面51との間の距離をａとし、前記支軸45の中心部と前記係合突部52の先端部との間の距離をｂとして、これらはａ＜ｂの関係になる円弧状に形成されている。
【００３９】
これにより、前記ガイドプレート20及び一対のロックプレート36を前記家具本体Ａの取付孔19に挿入する際に、前記操作レバー46を回動操作してこの操作レバー46の係合面51を前記取付板部13上に係合して立設することにより、この操作レバー46の支軸45にて一対のロックプレート36が押動されてガイドプレート20に沿って進出され、この一対のロックプレート36の先端部の前記被押動部38がガイドプレート20の両押動部20aより突出されるようになっている。
【００４０】
また、前記ガイドプレート20及び一対のロックプレート36を前記家具本体Ａの取付孔19に挿入した際に、前記操作レバー46を回動操作してこの操作レバー46のカム面53の先端部を前記取付板部13上に係合してこの取付板部13上に操作レバー46を倒して重合することにより、この操作レバー46の支軸45にて一対のロックプレート36が牽引されてガイドプレート20に沿って後退され、この一対のロックプレート36の先端部の前記被押動部38がガイドプレート20の先端部の押動部20aに係合され、このガイドプレート20の押動部20aにて被押動部38が拡開方向に向かって押動され、この被押動部38と反対側の圧着部40が取付孔19の内壁部39に圧着されるようになっている。
【００４１】
つぎに、54は前記上下一対のロックプレート36の被押動部38を、前記ガイドプレート20の先端部の両押動部20aより突出させこの両押動部20aにより押動させない状態でこの上下一対のロックプレート36を仮止めする拡径可能な弾性リングで、この弾性リング54は、前記一対のロックプレート36の下端部を抱持する環状部55と、この環状部55の下端部に相対して略平行上に一体に形成され前記一対のロックプレート36の嵌合凹部44に嵌合する嵌合突部56と、を有して形成されている。
【００４２】
さらに、前記両側部の操作レバー46は、前記固定ベース11の両側部の取付板部13上の嵌合突部22を収容する中空部46aをそれぞれ有して形成されている。そして、前記固定ベース11の両側部の取付板部13上に前記両側部の操作レバー46が倒されて重合した際にはこの両側部の操作レバー46の中空部46a内に両側部の取付板部13上の嵌合突部22が収容されるようになっている。しかして、前記両側部の操作レバー46の中で、少なくとも一方側の操作レバー46は前記調整ねじＣと反対側に位置して取付板部13上に倒されて重合され、この調整ねじＣが調整操作し易いように常時露出されるようになっている。
【００４３】
前記弾性リング54は、拡径可能な環状ゴム、拡径可能な環状ばね等の弾性部材にて形成されている。そして、上下一対のロックプレート36の被押動部38を前記ガイドプレート20の押動部20aより突出させこの押動部20aにより押動させない状態でこの上下一対のロックプレート36の下端部を弾性リング54にて抱持して仮止めすることにより、前記操作レバー46は係合面51を前記取付板部13上に係合して立設された状態に保持されるようになっている。
【００４４】
また、上下一対のロックプレート36の被押動部38をガイドプレート20の両押動部20aより突出させこの押動部20aにより押動させない状態でこの上下一対のロックプレート36の下端部を弾性リング54にて抱持して仮止めすることにより、この一対のロックプレート36はそれぞれのガイドプレート20に沿って絞り込まれ、この一対のロックプレート36の先端部の圧着部40が互いに接近する方向に絞り込まれ、これらの圧着部40は取付孔19に対する挿入時はこれらの取付孔19内に挿入し易い状態に小さく絞り込まれるようになっている。
【００４５】
つぎに、前記実施の形態の作用を説明する。
【００４６】
まず、固定ベース11に移動ベース12を組み付けるときは、図１に示す状態で、固定ベース11の嵌合孔14に移動ベース12の本体突部24を嵌合し、この固定ベース11の上下の取付板部13の係合凹部15に移動ベース12の上下の係合板部29を係合するとともに、この固定ベース11の上下の係合凹部31に移動ベース12の上下の係合突部32を係合し、かつ、この固定ベース11の左右の係合凹部16に移動ベース12の左右の係合突起33を係合することにより、固定ベース11に移動ベース12が簡単に組み付けられる。
【００４７】
また、固定ベース11の上部の取付板部13の調節孔23から移動ベース12の上部の係合板部29のねじ孔30に調整ねじＣを螺着して締め付けることにより、固定ベース11に移動ベース12が組み付け固定され、これらによりベース体10が簡単に構成される。このとき、固定ベース11に対して移動ベース12を上下動調節して調整ねじＣを締め付けることにより、固定ベース11の所定の位置に移動ベース12が組み付け固定される。
【００４８】
また、固定ベース11に移動ベース12が組み付けられることにより、固定ベース11の係合面17と移動ベース12の係合面35とは前記家具本体Ａの取付孔19の開口縁部に当接されるように同一平面に形成される。
【００４９】
また、ベース体10に一対のロックプレート36、操作レバー46及び弾性リング54を組み付けるときは、図１に示す状態で、弾性リング54内に一対のロックプレート36を挿入し、この一対のロックプレート36の下端部の嵌合凹部44に弾性リング54の相対する嵌合突部56をそれぞれ嵌合することにより、一対のロックプレート36の下端部に弾性リング54が簡単に組み付けられる。
【００５０】
また、図１に示す状態で、一対のロックプレート36を固定ベース11の両側部のガイドプレート20の両側面に沿わせるとともに、この一対のロックプレート36を固定ベース11の両側部の取付板部13に向かって下方から押し込むと、この一対のロックプレート36の上端部が両側部の取付板部13の一対の挿通孔18にそれぞれ挿通されるとともに、この一対のロックプレート36の上端部の軸挿通孔37がそれぞれ両側部の取付板部13上に突出される。
【００５１】
また、両側部の取付板部13上に突出された一対のロックプレート36の上端部を操作レバー46の一対の挿通溝50内に挿入し、この操作レバー46の係合板48の軸挿通孔49に一対のロックプレート36の上端部の軸挿通孔37を連通させ、これらの軸挿通孔37，49に支軸45をそれぞれ挿通することにより、固定ベース11の両側部に一対のロックプレート36及びこの一対のロックプレート36を固定ベース11の両側部のガイドプレート20の両側面に沿って進退動させる操作レバー46が回動自在に簡単に組み付けられる。
【００５２】
なお、ベース体10に一対のロックプレート36、操作レバー46及び弾性リング54を組み付ける前記組付け順序はその一例で、たとえば、弾性リング54はベース体10に一対のロックプレート36及び操作レバー46を組み込んだ後に弾性により径を拡開して一対のロックプレート36の下端部に組み付けるようにしてもよい。
【００５３】
このように、固定ベース11に移動ベース12が組み込まれてベース体10が簡単に構成され、このベース体10の両側部に一対のロックプレート36、操作レバー46及び弾性リング54が簡単に組み付けられて固定装置９が簡単に構成される。
【００５４】
つぎに、家具本体Ａに固定装置９を組み付けるとき、すなわち、家具本体Ａの２個の取付孔19にベース体10の両側部のガイドプレート20及び一対のロックプレート36をそれぞれ挿入する際は、両側部の操作レバー46をそれぞれ回動してこれらの操作レバー46の係合面51を両側部の取付板部13上にそれぞれ係合して立設することにより、この両側部の操作レバー46の支軸45にて一対のロックプレート36が押動されてそれぞれのガイドプレート20に沿って進出され、この一対のロックプレート36の先端部の被押動部38がガイドプレート20の先端部の押動部20aより外れて突出される。
【００５５】
このとき、両側部の操作レバー46のカム面53の係合突部52が両側部の取付板部13上の嵌合突部22の嵌合凹部21内に嵌合され、両側部の操作レバー46が取付板部13上に倒れることが防止されている。
【００５６】
そして、ベース体10を把持して両側部のガイドプレート20及びこのガイドプレート20を挟んだ状態の一対のロックプレート36を家具本体Ａの２個の取付孔19内にそれぞれ押し込むことにより、この両側部のガイドプレート20及びこのガイドプレート20を挟んだ状態の一対のロックプレート36が取付孔19内にそれぞれ挿入される。
【００５７】
このとき、両側部のガイドプレート20をそれぞれ挟んだ状態の一対のロックプレート36は、これらの一対のロックプレート36の被押動部38を、それぞれのガイドプレート20の押動部20aより突出させこの押動部20aにより押動させない状態で拡径可能な弾性リング54にて一対のロックプレート36がそれぞれのガイドプレート36の両側面に沿って絞り込まれた状態に仮止めされていることにより、この一対のロックプレート36及びガイドプレート20がそれぞれの取付孔19内に奥深くスムーズに簡単に挿入されるとともに、このベース体10の係合面17，35がそれぞれ取付孔19の開口縁部に当接される。
【００５８】
つぎに、両側部のガイドプレート20及びこのガイドプレート20をそれぞれ挟んだ状態の一対のロックプレート36をそれぞれの取付孔19内に挿入した状態で、両側部の操作レバー46をそれぞれの支軸45を中心に回動すると、これら操作レバー46のカム面53の係合突部52が固定ベース11の両側部の取付板部13上に係合して取付板部13上に操作レバー46が倒れる方向に向かって回動され、これらの操作レバー46の支軸45にてそれぞれの一対のロックプレート36が牽引されてそれぞれのガイドプレート20に沿って後退される。
【００５９】
また、両側部の操作レバー46が固定ベース11の両側部の取付板部13上に倒れて重合されると、この両側部の操作レバー46の係合突部52の先端部が両側部の取付板部13上に係合し、これらの操作レバー46の支軸45にてそれぞれの一対のロックプレート36の先端部の被押動部38がそれぞれのガイドプレート20の押動部20aに係合され、これらのガイドプレート20の押動部20aにて両側部の被押動部38が拡開方向に向かってそれぞれ押動されるとともに、これらの被押動部38と反対側に突出形成された一対のロックプレート36の先端部の圧着部40が拡開方向に向かってそれぞれ拡開押動され、これらの圧着部40が取付孔19の内壁部39の両側にそれぞれ圧着され、これらの両側の圧着部40を有する一対のロックプレート36にてベース体10が一対のロックプレート36の挿入方向と反対側に向かって抜け出すことがないように確実に抜止めされる。
【００６０】
このとき、一対のロックプレート36の被押動部38はそれぞれのガイドプレート20の押動部20aに係合する案内面41を有することにより、この案内面41にて被押動部38（係合突起42）がガイドプレート20の押動部20aにスムーズに係合される。
【００６１】
また、一対のロックプレート36の先端部の被押動部38がそれぞれのガイドプレート20の押動部20aに係合されるとき、一対のロックプレート36の先端部の圧着部40は弾性リング54に抗してそれぞれの取付孔19の内壁部39の両側に向かって拡開されるが、この弾性リング54は十分に拡径可能に形成されていることにより、この弾性リング54にて阻害されることなく一対のロックプレート36の先端部の圧着部40が容易に拡開されてそれぞれの取付孔19の内壁部39の両側にそれぞれ確実に圧着される。
【００６２】
また、一対のロックプレート36の圧着部40は後退方向で取付孔19に向かって拡開傾斜して突出した圧着突片43にて形成されていることにより、ガイドプレート20の押動部20aにて一対のロックプレート36の先端部の係合突起42が拡開方向に向かって押動されると、この係合突起42と反対側に拡開傾斜して突出した一対のロックプレート36の先端部の圧着突片43が取付孔19の内壁部39の両側に圧着されて更に確実に抜止めされる。
【００６３】
さらに、ガイドプレート20及びこのガイドプレート20に沿って進退自在に設けられた一対のロックプレート36は、ベース体10の両側部にそれぞれ設けられ、家具本体Ａに離間して形成された２個の取付孔19にそれぞれ挿入して固定することにより、ベース体10が家具本体Ａから確実に抜止めされるのみならず、ベース体10が家具本体Ａに対して確実に回り止めされる。
【００６４】
また、両側部の操作レバー46が固定ベース11の両側部の取付板部13上に倒れて重合されると、固定ベース11の両側部の取付板部13上の嵌合突部22は両側部の操作レバー46に形成された中空部46a内に収容され、したがって、両側部の操作レバー46は固定ベース11の両側部の取付板部13上の嵌合突部22に阻害されることなく両側部の取付板部13上に沿って倒れて重なり合う状態に重合される。
【００６５】
したがって、現場で工具を使用することなく操作レバー46を回動操作することにより、家具本体Ａに形成された２個の取付孔19内にガイドプレート20及び一対のロックプレート36が奥深く簡単に挿入されるとともに、このガイドプレート20及び一対のロックプレート36にて２個の取付孔19の開口縁部にベース体10の裏面の係合面17，35を当接した状態でベース体10が簡単にかつ確実に固定される。
【００６６】
つぎに、扉体Ｂに形成された取付孔57にヒンジ本体１の一端部に設けた回動体６のカップ部58を嵌合し、この回動体６のフランジ部59を前記取付孔57の開口縁部に固定ねじ60にて固定することにより、扉体Ｂにヒンジ本体１の回動体６が固定される。そして、前記回動体６が閉回動したときにカップ部58内に前記ヒンジ本体１の各リンクアーム２，３が嵌合されるようになっている。
【００６７】
また、ベース体10にヒンジ本体１を固定するときは、ベース体10の移動ベース12の本体突部24にヒンジ本体１を被嵌することにより、本体突部24の一端部の固定部26の嵌合凹部25にヒンジ本体１の他端部の係合ピン８が嵌合されるとともに、本体突部24の一端部の固定部28の嵌合段部27にヒンジ本体１の一端部の係合ピン７が係合される。したがって、家具本体Ａに固定されたベース体10には扉体Ｂに固定されたヒンジ本体１が簡単に固定される。そして、ヒンジ本体１及び回動体６にて家具本体Ａに扉体Ｂが簡単に開閉回動自在に取り付けられる。
【００６８】
つぎに、家具本体Ａに取り付けられた扉体Ｂを上下方向に建て付け調節するときは、ベース体10の調整ねじＣを弛緩し、固定ベース11に対して移動ベース12を上下動調節し、この移動ベース12を所定の位置に移動するとともに、調整ねじＣを締め付けて固定ベース11に対して移動ベース12を固定することにより、扉体Ｂが上下方向に簡単に建て付け調節されて所定の位置に固定される。
【００６９】
つぎに、前記実施の形態では、ベース体10の両側部にガイドプレート20及びこのガイドプレート20に沿って進退自在に設けられた一対のロックプレート36をそれぞれ設ける場合について説明したが、これに限らず、ベース体10には家具本体Ａに形成された１個の取付孔19に挿入して固定するガイドプレート20及びこのガイドプレート20に沿って進退自在に設けたロックプレート36の一組であってもよい。
【００７０】
また、前記実施の形態では、ベース体10のガイドプレート20にはこのガイドプレート20の両側面に沿って一対のロックプレート36をそれぞれ進退自在に設ける場合について説明したが、これに限らず、ガイドプレート20の一側面に沿ってロックプレート36を進退自在に設けるようにしてもよい。
【００７１】
つぎに、前記実施の形態では、被押動部38は一対のロックプレート36の先端部にそれぞれ設ける場合について説明したが、これに限らず、被押動部38は、たとえば、一対のロックプレート36の途中に相対してそれぞれ設けるようにしてもよい。
【００７２】
この場合は、たとえば、図７及び図８に示すように、被押動部38は、一対のロックプレート36の途中に相対して略円弧状に膨出して一体に突設し、この被押動部38を押動するガイドプレート20の押動部20aは、ガイドプレート20の先端側に位置する途中に形成するとともに、この押動部20aに連続してガイドプレート20の先端側に向かって順次縮径した案内面20bを介してこのガイドプレート20の先端近傍部に前記被押動部38を押動させない状態で被押動部38を係合させる縮径した係合部20cを形成する。
【００７３】
その他の構成は前記実施の形態の場合と同様であるから前記実施の形態と同一構成については前記実施の形態の説明に用いた符号を記入してそれらの説明を省略する。
【００７４】
このように構成することにより、前記実施の形態の場合と同様に操作レバー46にて一対のロックプレート36が後退されることにより、この一対のロックプレート36の被押動部38がガイドプレート20の押動部20aに係合してこの押動部20aにより拡開方向に向かって大きく拡開押動されるとともに、この一対のロックプレート36の先端部の圧着部40が取付孔19の内壁部39に更に確実に圧着される。このとき、ガイドプレート20の案内面20bにて一対のロックプレート36の被押動部38がガイドプレート20の押動部20aにスムーズに係合されて押動される。
【００７５】
また、ガイドプレート20は先端近傍部に前記被押動部38を押動させない状態で被押動部38を係合させる縮径した係合部20cを有するので、このガイドプレート20を挟んだ状態で一対のロックプレート36を環状リング54にて拘束することにより、このガイドプレート20の両面の係合部20c内に一対のロックプレート36の被押動部38がそれぞれ係合された状態でこの一対のロックプレート36がガイドプレート20の両面に沿って確実に位置決め保持される。したがって、ガイドプレート20及び一対のロックプレート36が同時に取付孔19内にスムーズに挿入される。
【００７６】
つぎに、前記各実施の形態では、操作レバー46にてガイドプレート20に沿って一対のロックプレート36を進退自在に設ける場合について説明したが、これに限らず、操作レバー46にて一対のロックプレート36に沿ってガイドプレート20を進退自在に設けるようにしてもよい。
【００７７】
この場合は、たとえば、図９及び図１０に示すように、固定ベース11の上下の取付板部13にガイドプレート挿通孔61がそれぞれ形成され、このガイドプレート挿通孔61内にガイドプレート20がそれぞれ進退自在に挿通され、このガイドプレート20の後端部に形成された軸挿通孔62に支軸45がそれぞれ挿通され、この支軸45に前記実施の形態の操作レバー46が回動自在に軸支されている。また、前記ガイドプレート20の先端両面部に一対のロックプレート36を拡開方向に向かって押動する押動部20aがそれぞれ外方に向かって一体に突設されている。
【００７８】
また、前記上下の取付板部13のガイドプレート挿通孔61の開口縁部に相対して前記ガイドプレート20を挟む状態で一対のロックプレート36がそれぞれ一体に突設され、この一対のロックプレート36は前記ガイドプレート20の両押動部20aにより拡開方向に向かって押動されることにより互いに離間する方向に向かって拡開可能に形成されている。また、この一対のロックプレート36は前記実施の形態の場合と同様に先端部に取付孔19の内壁部39に圧着される圧着部40をそれぞれ有している。
【００７９】
その他の構成は前記実施の形態の場合と同様であるから前記実施の形態と同一構成については前記実施の形態の説明に用いた符号を記入してそれらの説明を省略する。
【００８０】
このように構成することにより、操作レバー46にてガイドプレート20が後退されることにより、このガイドプレート20の両押動部20aにより一対のロックプレート36が拡開方向に向かって押動されるとともに、この一対のロックプレート36の先端部の圧着部40が取付孔19の内壁部39に確実に圧着される。このとき、ガイドプレート20の案内面20bにて一対のロックプレート36の先端部がガイドプレート20の押動部20aにスムーズに係合されて押動される。
【００８１】
また、ガイドプレート20の先端部の両押動部20aを一対のロックプレート36の先端部より突出させこの両押動部20aにて一対のロックプレート36を押動させない状態で、このガイドプレート20を挟んだ状態で一対のロックプレート36を環状リング54にて拘束することにより、これらが確実に位置決め保持される。したがって、ガイドプレート20及び一対のロックプレート36が同時に取付孔19内にスムーズに挿入される。
【００８２】
つぎに、前記各実施の形態では、操作レバー46はカム面53を介して上下の取付板部13に対してそれぞれ交差する状態及び重合する状態に回動操作することにより、一対のロックプレート36またはガイドプレート20を進退動させる場合について説明したが、これに限らず、操作レバー46は上下の取付板部13に沿ってそれぞれスライドさせて一対のロックプレート36またはガイドプレート20を進退動させるようにしてもよい。
【００８３】
この場合は、たとえば、図１１及び図１２に示すように、操作レバー46に前記取付板部13に沿って進退自在にスライドするスライド面63が形成され、この操作レバー46の両側板部64に前記一対のロックプレート36またはガイドプレート20を軸支する支軸45を挿通して移動させるカム溝65がそれぞれ形成されている。
【００８４】
前記カム溝65は、一端部が前記支軸45を係合して前記一対のロックプレート36またはガイドプレート20を進出させた状態に保持する第１の溝部66として前記取付板部13側に偏位して両側板部64に形成され、他端部が前記支軸45を係合して前記一対のロックプレート36またはガイドプレート20を後退させた状態に保持する第２の溝部67として前記取付板部13から離間する位置に偏位して両側板部64に形成され、前記第１の溝部66と前記第２の溝部67との中間部が前記支軸45を第１の溝部66と第２の溝部67との間を移動させる案内溝部68として両側板部64に形成されている。
【００８５】
また、前記操作レバー46は、前記両側板部64間の一端部に端板部69を有し、この端板部69が前記第２の溝部67に前記支軸45が係合した状態で前記取付板部13に突設されたストッパー70に係合されるようになっている。
【００８６】
その他の構成は前記実施の形態の場合と同様であるから前記実施の形態と同一構成については前記実施の形態の説明に用いた符号を記入してそれらの説明を省略する。
【００８７】
このように構成することにより、操作レバー46を取付板部13に沿って一方に向かってスライドすると、図１１に示すように、この操作レバー46のカム溝65の第１の溝部66に支軸45が係合されるとともに、この第１の溝部66にて支軸45を介して一対のロックプレート36またはガイドプレート20が進出された状態に保持される。そして、前記各実施の形態の場合と同様に一対のロックプレート36及びガイドプレート20が取付孔19内に挿入し易い状態に拘束される。
【００８８】
また、取付孔19内に一対のロックプレート36及びガイドプレート20を挿入した状態で、操作レバー46を取付板部13に沿って他方に向かってスライドすると、この操作レバー46のカム溝65の第１の溝部66が支軸45から外れる。そして、この支軸45がカム溝65の案内溝部68に案内されて第２の溝部67に向かって後退移動されるとともに、この支軸45にて一対のロックプレート36またはガイドプレート20が牽引されて後退される。
【００８９】
また、この一対のロックプレート36またはガイドプレート20が後退されると、このガイドプレート20にて一対のロックプレート36が互いに離間して拡開されるとともに、この一対のロックプレート36の圧着部40が取付孔19の内壁部39に次第に圧着される。
【００９０】
そして、図１２に示すように、この支軸45がカム溝65の第２の溝部67に係合されるとともに、この第２の溝部67にて支軸45を介して一対のロックプレート36またはガイドプレート20が後退された状態に保持され、かつ、この一対のロックプレート36の圧着部40が取付孔19の内壁部39にそれぞれ強く圧着された状態に保持される。
【００９１】
また、支軸45がカム溝65の第２の溝部67に深く係合される直前で、操作レバー46の端板部69の端部が取付板部13に突設されたストッパー70に乗り上げ、支軸45がカム溝65の第２の溝部67に深く係合されるとともに、操作レバー46の端板部69の端部が取付板部13のストッパー70を乗り越えてストッパー70に係合される。そして、このストッパー70にて支軸45がカム溝65の第２の溝部67から外れる方向に操作レバー46が移動することを防止される。
【００９２】
なお、この実施の形態において、操作レバー46に支軸45がカム溝65の第１の溝部66及び第２の溝部67に係合した状態を視覚的に確認可能な窓部を形成する一方、取付板部13には支軸45がカム溝65の第１の溝部66及び第２の溝部67に係合した状態を表示する表示手段を設けるようにするとよい。
【００９３】
【発明の効果】
請求項１の発明によれば、操作レバーの操作によりロック部材の圧着部を家具本体の取付孔の内壁面に確実に圧着固定することができ、このため、現場で工具を使用することなく簡単にヒンジ本体のベース体を家具本体に確実に固定することができ、このベース体の固定時にベース体を家具本体の固定位置に押さえ付けた状態でベース体を固定する固定ねじを回動操作する工具を使用して複数の固定ねじをそれぞれねじ込む固定ねじのねじ込み操作の必要がなく、現場作業が容易で作業性を向上することができる。
【００９４】
また、ロック部材はガイド部材に係合して圧着部を取付孔の内壁面に向かう拡開方向に移動させる被押動部を有するので、操作レバーにてロック部材とガイド部材とのいずれか一方を後退させるだけでこの被押動部にてロック部材の圧着部を取付孔の内壁面に向かって確実に圧着できるとともに、このベース体が家具本体から脱落することを確実に防止できる。
【００９５】
さらに、現場で工具を使用することなくヒンジ本体のベース体を家具本体に固定できるので、工場で家具本体にヒンジ本体のベース体をあらかじめ固定しておく必要がなく、ヒンジ本体のベース体を固定する家具本体の側板を重ね合わせて輸送でき、ヒンジ本体のベース体をあらかじめ固定して輸送のもののようにベース体の厚みにより重ね合わせが不十分になることがなく、全体として輸送コストを軽減できる。
【００９６】
また、弾性リングにて一対のロック部材をガイド部材の両側面に沿って絞り込まれた状態に仮止めしたので、この一対のロック部材及びガイド部材を取付孔内に奥深くスムーズに挿入できるとともに、このベース体の裏面部を取付孔の開口縁部に当接でき、また、弾性リングにて一対のロック部材を操作する操作レバーをベース体上に操作し易い状態に確実に保持でき、この操作レバーを、取付孔に対する一対のロック部材の挿入時の目印とすることができる。
【００９７】
請求項２の発明によれば、請求項１の発明の効果に加え、取付孔内にガイド部材及びロック部材を挿入した状態で操作レバーを操作することにより、ロック部材の係合突起をガイド部材の押動部に係合できるが、このとき、係合突起は案内面を有するので、この案内面にてガイド部材の押動部に係合突起をスムーズに係合できる。また、このガイド部材の押動部にてロック部材の係合突起が拡開方向に向かって押動されることにより、この係合突起にて取付孔に向かって拡開傾斜して突出したロック部材の圧着突片を取付孔の内壁部に圧着させて更に確実に抜止め固定できる。
【００９８】
請求項３の発明によれば、請求項１または２の発明の効果に加え、ロック部材は、ガイド部材を挟む状態でこのガイド部材の両側面に沿ってそれぞれ進退自在に設けたので、取付孔内にガイド部材及びロック部材を挿入した状態で操作レバーを操作することにより、この操作レバーにてロック部材を、ガイド部材をガイドとしてこのガイド部材の両側面に沿ってスムーズに進退でき、ガイド部材を挟む状態でロック部材を設けたので、このロック部材を取付孔内に容易に挿入でき、このロック部材を取付孔内に挿入するときにロック部材の先端部が取付孔の開口縁部に当接することを防止できる。
【００９９】
請求項４の発明によれば、請求項１乃至３のいずれかの発明の効果に加え、ベース体の両側部のガイド部材及びロック部材を一組とする二組を家具本体に離間して形成された取付孔にそれぞれ挿入して固定することにより、ベース体を家具本体から確実に抜止めできるのみならず、ベース体を家具本体に対して確実に回り止めすることができる。
【図面の簡単な説明】
【図１】  本発明の一実施の形態を示すヒンジの固定装置の分解斜視図である。
【図２】  同上家具本体に固定した固定装置及び扉体に固定したヒンジ本体の斜視図である。
【図３】  同上家具本体に対する固定装置の固定前の状態を示す側面図である。
【図４】  同上家具本体に対する固定装置の固定状態を示す側面図である。
【図５】  同上家具本体に対する固定装置の固定前の状態を示す断面図である。
【図６】  同上家具本体に対する固定装置の固定状態を示す断面図である。
【図７】  他の実施の形態を示す家具本体に対する固定装置の固定前の状態を示す断面図である。
【図８】  同上家具本体に対する固定装置の固定状態を示す断面図である。
【図９】  更に他の実施の形態を示す固定装置の一部の分解斜視図である。
【図１０】  同上家具本体に対する固定装置の固定状態を示す断面図である。
【図１１】  更に他の実施の形態を示す固定装置の固定前の状態を示す側面図である。
【図１２】  同上家具本体に対する固定装置の固定状態を示す側面図である。
【符号の説明】
１    ヒンジ本体
２    第１のリンクアーム
３    第２のリンクアーム
６    回動体
９    固定装置
10    ベース体
19    取付孔
20    ガイド部材としてのガイドプレート
20a   押動部
20b   案内面
26，28    固定部
36    ロック部材としてのロックプレート
38    被押動部
39    内壁部
40    圧着部
41    案内面
42    係合突起
43    圧着突片
46    操作レバー
54    弾性リング
Ａ    家具本体
Ｂ    扉体
【図１】
0003645712.tif 000002
【図２】
0003645712.tif 000003
【図３】
0003645712.tif 000004
【図４】
0003645712.tif 000005
【図５】
0003645712.tif 000006
【図６】
0003645712.tif 000007
【図７】
0003645712.tif 000008
【図８】
0003645712.tif 000009
【図９】
0003645712.tif 000010
【図１０】
0003645712.tif 000011
【図１１】
0003645712.tif 000012
【図１２】
0003645712.tif 000013